(57)【要約】【課題】ユーザによる折り目の位置の設定を要せず、媒体からページ単位で画像データを取得することができる画像処理装置、画像処理方法、及び画像処理プログラムを提供する。【解決手段】画像処理装置は、折り畳むことが可能な一枚の用紙からなる媒体１００の表面１０１及び裏面から画像を取得し、その光学濃度を決定する。画像処理装置は、決定した光学濃度が、他の部分と顕著に異なる部分を抽出する。地色が白色である媒体１００に折り目１２１、１２２、及び１２３が形成された場合、その部分の光学濃度は、他の部分よりも大きくなる。画像処理装置は、光学濃度が大きい部分を折り目の位置と判断し、折り目の位置で画像を分割する。結果、ページ毎に分割された画像１１１、１１２、１１３、及び１１４が作成される。【選択図】図１２
2012151586.tif 000002
【特許請求の範囲】
【請求項１】
折り目で折り畳まれた後、見開きの状態にされた媒体上に形成された画像の一部分を取得する取得部と、
前記取得部において取得した前記画像の一部分の光学濃度を決定する決定部と、
前記決定部によって決定した前記光学濃度と、前記画像の他の部分の光学濃度との差が所定値より大きい場合に、前記画像の一部分が前記折り目に相当すると判断する第一判断部と、
前記第一判断部において、前記画像の一部分が前記折り目に相当すると判断した場合に、前記折り目の位置に基づいて前記画像を加工する加工部と
を備えたことを特徴とする画像処理装置。
【請求項２】
前記取得部は、
前記媒体の一方の面に形成された第一画像の一部分である第一部分、及び、他方の面に形成された第二画像の一部分であって、前記媒体を挟んで前記第一部分と対向する部分である第二部分を取得し、
前記決定部は、
前記第一部分及び前記第二部分の前記光学濃度を決定し、
前記第一判断部は、
前記決定部において決定した前記第一部分の光学濃度と、前記第一画像の他の部分の光学濃度との差が前記所定値より大きく、且つ、前記第二部分の前記光学濃度と、前記第二画像の他の部分の光学濃度との差が前記所定値より大きい場合に、前記第一部分及び前記第二部分が前記折り目に相当すると判断することを特徴とする請求項１に記載の画像処理装置。
【請求項３】
前記第一判断部は、
前記折り目の種別が、前記第一部分が外側になるように折れる山折りであるか、又は、前記第一部分が内側になるように折れる谷折りであるかを判断する第二判断部であって、前記第一部分の前記光学濃度と前記第一画像の他の部分の光学濃度との差が、前記第二部分の前記光学濃度と前記第二画像の他の部分の光学濃度との差よりも大きい場合に、前記山折りであると判断し、前記第一部分の前記光学濃度と前記第一画像の他の部分の光学濃度との差が、前記第二部分の前記光学濃度と前記第二画像の他の部分の光学濃度との差よりも小さい場合に、前記谷折りであると判断する第二判断部を備え
前記加工部は、
前記第二判断部において判断した前記折り目の種別に基づいて、前記画像を加工することを特徴とする請求項２に記載の画像処理装置。
【請求項４】
前記折り目の種別と、前記折り目の位置で分割された其々の前記画像に割り当てるページ番号を特定するページ割情報とが対応付けて記憶された記憶部を備え、
前記加工部は、
前記折り目の位置で前記画像を分割し、前記第二判断部において判断した前記折り目の種別に対応付けられて前記記憶部に記憶されている前記ページ割情報に基づいて、分割した前記画像の其々に前記ページ番号を設定することを特徴とする請求項３に記載の画像処理装置。
【請求項５】
前記加工部は、
前記折り目の位置で前記画像を分割し、分割した其々の前記画像を個別のファイルとすることを特徴とする請求項１から３のいずれかに記載の画像処理装置。
【請求項６】
前記第一画像を読み取る第一読み取り部と、
前記第二画像を読み取る第二読み取り部とを備え、
前記取得部は、
前記第一読み取り部において読み取った前記第一画像の前記第一部分、及び、前記第二読み取り部において読み取った前記第二画像の前記第二部分を取得することを特徴とする請求項２に記載の画像処理装置。
【請求項７】
前記媒体を搬送する搬送部を備え、
前記第一読み取り部、及び前記第二読み取り部は、前記搬送部による前記媒体の搬送方向に直交する走査方向に沿って、各々、前記第一画像、及び前記第二画像を読み取ることを特徴とする請求項６に記載の画像処理装置。
【請求項８】
前記取得部は、
前記第一画像の前記走査方向における両端部に対応する前記第一部分、及び、第二画像の前記走査方向における両端部に対応する前記第二部分を取得することを特徴とする請求項７に記載の画像処理装置。
【請求項９】
折り目で折り畳まれた後、見開きの状態にされた媒体上に形成された画像の一部分を取得する取得ステップと、
前記取得ステップにおいて取得した前記画像の一部分の光学濃度を決定する決定ステップと、
前記決定ステップによって決定した前記光学濃度と、前記画像の他の部分の光学濃度との差が所定値より大きい場合に、前記画像の一部分が前記折り目に相当すると判断する第一判断ステップと、
前記第一判断ステップにおいて、前記画像の一部分が前記折り目に相当すると判断した場合に、前記折り目の位置に基づいて前記画像を加工する加工ステップと
を備えたことを特徴とする画像処理方法。
【請求項１０】
折り目で折り畳まれた後、見開きの状態にされた媒体上に形成された画像の一部分を取得する取得ステップと、
前記取得ステップにおいて取得した前記画像の一部分の光学濃度を決定する決定ステップと、
前記決定ステップによって決定した前記光学濃度と、前記画像の他の部分の光学濃度との差が所定値より大きい場合に、前記画像の一部分が前記折り目に相当すると判断する第一判断ステップと、
前記第一判断ステップにおいて、前記画像の一部分が前記折り目に相当すると判断した場合に、前記折り目の位置に基づいて前記画像を加工する加工ステップと
をコンピュータに実行させるための画像処理プログラム。
【発明の詳細な説明】
【技術分野】
【０００１】
本発明は、折り目の位置に基づいて画像を加工する画像処理装置、画像処理方法、及び画像処理プログラムに関する。
【背景技術】
【０００２】
折り畳むことが可能な一枚の用紙からなり、折り目によって区切られた複数のページの其々に情報を付した媒体がある。この媒体の一例として、折り畳みパンフレットや飲食店のメニューなどがある。このような媒体からページ単位で画像データを取得することができる装置が提案されている。例えば特許文献１に記載された装置では、折り目の位置がページの区切り位置として予めユーザによって設定される。該装置は、設定された区切り位置で元の画像データを分割する。これによって該装置は、折り目によって区分されたページ単位で、画像データを取得することができる。
【先行技術文献】
【特許文献】
【０００３】
【特許文献１】特開２００８−２５８９１３号公報
【発明の概要】
【発明が解決しようとする課題】
【０００４】
上述の装置では、折り目の位置をユーザが設定する必要がある。従って、折り目の位置の異なる複数の媒体からページ単位で画像データを取得する場合などに、ユーザは折り目の位置の設定を繰り返し行わなければならいという問題点がある。
【０００５】
本発明の目的は、ユーザによる折り目の位置の設定を要せず、媒体からページ単位で画像データを取得することができる画像処理装置、画像処理方法、及び画像処理プログラムを提供することにある。
【課題を解決するための手段】
【０００６】
本発明の第一態様に係る画像処理装置は、折り目で折り畳まれた後、見開きの状態にされた媒体上に形成された画像の一部分を取得する取得部と、前記取得部において取得した前記画像の一部分の光学濃度を決定する決定部と、前記決定部によって決定した前記光学濃度と、前記画像の他の部分の光学濃度との差が所定値より大きい場合に、前記画像の一部分が前記折り目に相当すると判断する第一判断部と、前記第一判断部において、前記画像の一部分が前記折り目に相当すると判断した場合に、前記折り目の位置に基づいて前記画像を加工する加工部とを備えている。
【０００７】
第一態様によれば、画像処理装置は、画像の光学濃度に基づいて、媒体の折り目の位置を特定することができる。従って画像処理装置は、ユーザによる折り目の位置の設定を要することなく、特定された折り目の位置をページの区切りと認識できる。画像処理装置は、ページの区切りを正確に認識して画像を加工することで、ページ毎に区切られた画像をユーザに提供できる。
【０００８】
また第一態様において、前記取得部は、前記媒体の一方の面に形成された第一画像の一部分である第一部分、及び、他方の面に形成された第二画像の一部分であって、前記媒体を挟んで前記第一部分と対向する部分である第二部分を取得し、前記決定部は、前記第一部分及び前記第二部分の前記光学濃度を決定し、前記第一判断部は、前記決定部において決定した前記第一部分の光学濃度と、前記第一画像の他の部分の光学濃度との差が前記所定値より大きく、且つ、前記第二部分の前記光学濃度と、前記第二画像の他の部分の光学濃度との差が前記所定値より大きい場合に、前記第一部分及び前記第二部分が前記折り目に相当すると判断してもよい。画像処理装置は、一方の面に形成された画像から決定した光学濃度と、他方の面に形成された画像から決定した光学濃度との両方が所定条件を満たす場合に、光学濃度を決定した部分が折り目に相当すると判断する。これによって画像処理装置は、ページの区切りを正確に認識することができる。従って、ページの区切りが正確に認識できない場合に発生する不具合、例えば、加工後の画像に、隣接する位置にある画像の一部が含まれたり、加工後の画像の一部が欠けたりする不具合を防止できる。
【０００９】
また、第一態様において、前記第一判断部は、前記折り目の種別が、前記第一部分が外側になるように折れる山折りであるか、又は、前記第一部分が内側になるように折れる谷折りであるかを判断する第二判断部であって、前記第一部分の前記光学濃度と前記第一画像の他の部分の光学濃度との差が、前記第二部分の前記光学濃度と前記第二画像の他の部分の光学濃度との差よりも大きい場合に、前記山折りであると判断し、前記第一部分の前記光学濃度と前記第一画像の他の部分の光学濃度との差が、前記第二部分の前記光学濃度と前記第二画像の他の部分の光学濃度との差よりも小さい場合に、前記谷折りであると判断する第二判断部を備え、前記加工部は、前記第二判断部において判断した前記折り目の種別に基づいて、前記画像を加工してもよい。画像処理装置は、折り目の種類（山折り又は谷折り）を特定することができる。画像処理装置は、媒体が折り畳まれた状態や開かれた状態を、特定した折り目の種類から特定することができる。従って画像処理装置は、媒体が折り畳まれた状態や開かれた状態から、ユーザによる媒体の使用態様を推定し、使用態様に合わせた加工を行うことができる。
【００１０】
また第一態様において、前記折り目の種別と、前記折り目の位置で分割された其々の前記画像に割り当てるページ番号を特定するページ割情報とが対応付けて記憶された記憶部を備え、前記加工部は、前記折り目の位置で前記画像を分割し、前記第二判断部において判断した前記折り目の種別に対応付けられて前記記憶部に記憶されている前記ページ割情報に基づいて、分割した前記画像の其々に前記ページ番号を設定してもよい。従って画像処理装置は、折り目の種別やその並びに応じて最適なページ割情報を決定し、ページの区切りで分割した画像の其々にページ番号を設定することができる。
【００１１】
また第一態様において、前記加工部は、前記折り目の位置で前記画像を分割し、分割した其々の前記画像を個別のファイルとしてもよい。これによって画像処理装置は、加工後の画像をユーザが使用する場合の利便性を高めることができる。
【００１２】
また第一態様において、前記第一画像を読み取る第一読み取り部と、前記第二画像を読み取る第二読み取り部とを備え、前記取得部は、前記第一読み取り部において読み取った前記第一画像の前記第一部分、及び、前記第二読み取り部において読み取った前記第二画像の前記第二部分を取得してもよい。これによって画像処理装置は、媒体の両面から画像を直接読み取ることができる。
【００１３】
また第一態様において、前記媒体を搬送する搬送部を備え、前記第一読み取り部、及び前記第二読み取り部は、前記搬送部による前記媒体の搬送方向に直交する走査方向に沿って、各々、前記第一画像、及び前記第二画像を読み取ってもよい。これによって画像処理装置は、媒体を搬送しながら媒体の両面から画像を直接読み取ることができる。
【００１４】
また第一態様において、前記取得部は、前記第一画像の前記走査方向における両端部に対応する前記第一部分、及び、第二画像の前記走査方向における両端部に対応する前記第二部分を取得してもよい。これによって画像処理装置は、光学濃度の変化を正確に特定できる。理由は次の通りである。画像の中心部分には、文字や図形などの画像が含まれる可能性が高い。従ってこれらの画像が光学濃度に大きく影響すると、折り目の形成に起因する光学濃度の変化が相対的に小さくなり、光学濃度の変化を特定する場合の精度が悪化する可能性がある。一方、両端部の画像には、文字や図形が含まれる可能性が低い。両端部の画像から光学濃度が決定された場合、折り目の形成に起因する光学濃度の変化は顕著に現れる。従って画像処理装置は、光学濃度の変化を正確に特定できる。
【００１５】
本発明の第二態様に係る画像処理方法は、折り目で折り畳まれた後、見開きの状態にされた媒体上に形成された画像の一部分を取得する取得ステップと、前記取得ステップにおいて取得した前記画像の一部分の光学濃度を決定する決定ステップと、前記決定ステップによって決定した前記光学濃度と、前記画像の他の部分の光学濃度との差が所定値より大きい場合に、前記画像の一部分が前記折り目に相当すると判断する第一判断ステップと、前記第一判断ステップにおいて、前記画像の一部分が前記折り目に相当すると判断した場合に、前記折り目の位置に基づいて前記画像を加工する加工ステップとを備えている。
【００１６】
第二態様によれば、画像の光学濃度に基づいて、媒体の折り目の位置が特定される。従って、ユーザによる折り目の位置の設定を要することなく、特定された折り目の位置をページの区切りと認識できる。ページの区切りが正確に認識されて画像が加工されることで、ページ毎に区切られた画像をユーザに提供できる。
【００１７】
本発明の第三態様に係る画像処理プログラムは、折り目で折り畳まれた後、見開きの状態にされた媒体上に形成された画像の一部分を取得する取得ステップと、前記取得ステップにおいて取得した前記画像の一部分の光学濃度を決定する決定ステップと、前記決定ステップによって決定した前記光学濃度と、前記画像の他の部分の光学濃度との差が所定値より大きい場合に、前記画像の一部分が前記折り目に相当すると判断する第一判断ステップと、前記第一判断ステップにおいて、前記画像の一部分が前記折り目に相当すると判断した場合に、前記折り目の位置に基づいて前記画像を加工する加工ステップとをコンピュータに実行させる。
【００１８】
第三態様によれば、画像の光学濃度に基づいて、媒体の折り目の位置が特定される。従って、ユーザによる折り目の位置の設定を要することなく、特定された折り目の位置をページの区切りと認識できる。ページの区切りが正確に認識されて画像が加工されることで、ページ毎に区切られた画像をユーザに提供できる。
【図面の簡単な説明】
【００１９】
【図１】画像処理装置１の斜視図である。
【図２】画像処理装置１の内部構造を右側から見た透視図である。
【図３】画像処理装置１の電気的構成を示すブロック図である。
【図４】媒体１００を示す模式図である。
【図５】媒体１００の表面１０１側の画像に基づいて決定された、ライン毎の光学濃度を示すグラフである。
【図６】媒体１００の裏面１０２側の画像に基づいて決定された、ライン毎の光学濃度を示すグラフである。
【図７】メイン処理を示すフローチャートである。
【図８】先端検出処理を示すフローチャートである。
【図９】折り目検出処理を示すフローチャートである。
【図１０】折り目検出処理を示すフローチャートであって、図９の続きである。
【図１１】折り目判別処理を示すフローチャートである。
【図１２】媒体１００を示す模式図である。
【図１３】折り目テーブル７３１を示す図である。
【図１４】ページ割テーブル７３２を示す図である。
【発明を実施するための形態】
【００２０】
以下、本発明の一実施形態について、図面を参照して説明する。これらの図面は、本発明が採用しうる技術的特徴を説明するために用いられるものである。記載されている装置の構成、各種処理のフローチャート等は、それのみに限定する趣旨ではなく、単なる説明例である。図２の前面側、背面側、左側、右側、上側、及び下側を、其々、画像処理装置１の右側、左側、前側、後側、上側、及び下側とする。
【００２１】
図１及び図２を参照し、画像処理装置１の概略構成について説明する。画像処理装置１は、画像スキャナの一種である。図１に示すように、画像処理装置１は、本体部２、給紙トレイ４、及び排出トレイ６を備えている。本体部２は、側面視にて略三角形状を有している。本体部２の上部に給紙口３が設けられている。本体部２の前面下部に排出口５が設けられている。給紙トレイ４は、本体部２のうち給紙口３の後側に接続し、上方に延びている。排出トレイ６は、本体部２のうち排出口５の下側に接続し、前方に延びている。給紙トレイ４にセットされたシート７は、給紙口３から一枚ずつ本体部２に取り込まれる。取り込まれたシート７は、排出口５から排出され、排出トレイ６に積載される。本体部２前側の傾斜面の左側に、スタートスイッチ１５、及びランプ１６が設けられている。ユーザは、スタートスイッチ１５を操作することによって、シート７の取り込みを開始することができる。ランプ１６は、画像処理装置１の動作状態をユーザに通知する。
【００２２】
図２に示すように、本体部２は、搬送路１１、下側フレーム１２、及び上側フレーム１３を備えている。給紙口３から取り込まれたシート７は、搬送路１１を通り、排出口５から排出される。下側フレーム１２は、搬送路１１の下側に設けられている。上側フレーム１３は、搬送路１１の上側に設けられている。
【００２３】
下側フレーム１２は、搬送ローラ１７、１８、１９、及び２０、モータ５６、シートセンサ３７、及びラインセンサ４１を備えている。搬送ローラ１７は、給紙口３の近傍に設けられている。搬送ローラ１７の搬送方向下流側に、搬送方向上流側から下流側に向かって順に、搬送ローラ１８、１９、及び２０が設けられている。搬送ローラ１７は、給紙トレイ４にセットされたシート７を、搬送路１１内に取り込む。搬送ローラ１８、及び１９は、搬送路１１内に取り込まれたシート７を、排出口５に向けて搬送する。搬送ローラ２０は、排出口５からシート７を排出する。モータ５６は、搬送ローラ１７、１８、１９、及び２０を駆動する。
【００２４】
シートセンサ３７は、搬送ローラ１９の搬送方向下流側に設けられている。シートセンサ３７は、回動部３８を備えている。回動部３８の上端は、搬送路１１内に突出している。回動部３８は、搬送路１１内を通過するシート７によって、下端を軸として搬送方向下流側に回動する。回動部３８は、回動した状態でＯＮ信号を出力し、回動しない状態でＯＦＦ信号を出力する。シートセンサ３７は、回動部３８から出力される信号を受信することで、後述するラインセンサ４１の上部にシート７があるか否かを検出することができる。
【００２５】
ラインセンサ４１は、シートセンサ３７の搬送方向下流側に設けられている。ラインセンサ４１は、密着型のイメージセンサ（ＣＩＳ：Ｃｏｎｔａｃｔ  Ｉｍａｇｅ  Ｓｅｎｓｏｒ）である。ラインセンサ４１の左右方向の長さは、搬送路１１の左右方向の長さと略同一である。ラインセンサ４１は、搬送路１１に沿って搬送されるシート７の下面の画像を、シート７の搬送方向に直交する方向（走査方向）に沿って１ライン分ずつ読み取ることができる。
【００２６】
ラインセンサ４１は、光源、レンズ及び受光素子を備えている。光源は、シート７の下面に光を照射する。受光素子は、シート７において反射した反射光をレンズにより集光し、ＲＧＢ信号に変換して出力する。出力されたＲＧＢ信号に対して画像処理が行われることによって、シート７の下面の画像がページ単位で得られる。
【００２７】
上側フレーム１３は、分離部材２１、及び２５、ピンチローラ３１、及び４６、及びラインセンサ４２を備えている。分離部材２１、及び２５は、ゴム等の高摩擦弾性部材である。分離部材２１は、搬送ローラ１７と対向する位置に設けられている。分離部材２５は、搬送ローラ１８と対向する位置に設けられている。分離部材２１、及び２５は、給紙トレイ４にセットされた複数のシート７のうち最も下側のシート７を他のシートから分離する為に設けられている。ピンチローラ３１は、搬送ローラ１９と対向する位置に設けられている。ピンチローラ４６は、搬送ローラ２０と対向する位置に設けられている。ピンチローラ３１、及び４６は、搬送ローラ１９、及び２０と共に回転し、シート７を搬送する。
【００２８】
ラインセンサ４２は、ラインセンサ４１と対向する位置に設けられている。ラインセンサ４２はＣＩＳである。ラインセンサ４２の左右方向の長さは、搬送路１１の左右方向の長さと略同一である。ラインセンサ４２の構成及び駆動機構は、上述したラインセンサ４１と同一である。ラインセンサ４２は、搬送路１１に沿って搬送されるシート７の上面の画像を、シート７の搬送方向に直交する方向（走査方向）に沿って１ライン分ずつ読み取ることができる。
【００２９】
図３を参照し、画像処理装置１の電気的構成について説明する。画像処理装置１は、制御回路部６１を備えている。制御回路部６１は、入出力インターフェース６２を介して、スタートスイッチ１５、ランプ１６、モータ駆動回路６３、ラインセンサ駆動回路６５、及びシートセンサ３７と電気的に接続している。
【００３０】
制御回路部６１は、ＣＰＵ７１、ＲＯＭ７２、ＦＬＡＳＨ・ＲＯＭ７３、ＲＡＭ７４、及び通信Ｉ／Ｆ７５を備えている。ＣＰＵ７１は、画像処理装置１の全体の制御を行う演算装置である。ＲＯＭ７２は、ＣＰＵ７１が処理を行う場合に必要な各種パラメータを記憶する。ＦＬＡＳＨ・ＲＯＭ７３は、ＣＰＵ７１が処理を行うためのプログラム、及び、後述する各種テーブルを記憶する。ＲＡＭ７４は、ＣＰＵ７１により演算された各種の演算結果や、ラインセンサ４１、及び４２によって読み取られた画像を一時的に記憶する。通信Ｉ／Ｆ７５は、外部に接続されたＰＣ８１と通信を行う場合のタイミング制御を行う。ＣＰＵ７１は、シートセンサ３７から出力される信号であって、シート７を検出しているか否かを示す信号を受信することができる。
【００３１】
モータ駆動回路６３は、モータ５６と接続している。モータ駆動回路６３は、制御回路部６１のＣＰＵ７１からの指示に従って、モータ５６を駆動制御する。ラインセンサ駆動回路６５は、ラインセンサ４１、及び４２と接続している。ラインセンサ駆動回路６５は、制御回路部６１のＣＰＵ７１からの指示に従って、ラインセンサ４１、及び４２の光源を点灯させるための駆動制御を行う。またラインセンサ駆動回路６５は、受光素子の電気信号をＲＧＢ信号等に変換して出力する。ＣＰＵ７１は、ラインセンサ駆動回路６５から受信したＲＧＢ信号等に基づいて画像を作成し、ＲＡＭ７４に一時記憶することができる。
【００３２】
図４を参照し、画像処理装置１に取り込まれるシート７の一例である、媒体１００について説明する。図４の前面及び背面を、媒体１００の表面及び裏面と定義する。媒体１００は、表面１０１に折り目１２１、１２２、及び１２３を有し、裏面１０２に折り目１２６、１２７、及び１２８を有している。折り目１２１と１２６、折り目１２２と１２７、及び折り目１２３と１２８は、其々、媒体１００を挟んで対向配置している。媒体１００は、折り目１２１、１２２、１２３、１２６、１２７、及び１２８の位置で折り畳むことが可能なシート状の媒体である。媒体１００の例として、折り畳みパンフレットや飲食店のメニューが挙げられる。
【００３３】
折り目１２１、１２３、１２６、及び１２８の位置では、表面１０１の折り目１２１、及び１２３が内側になるように折れ曲がっている。折り目１２２、及び１２７の位置では、表面１０１の折り目１２２が外側になるように折れ曲がっている。以下、表面１０１側の折り目が外側になるように折れる折れ目を「山折り」という。表面１０１の折り目が内側になるように折れる折り目を「谷折り」という。媒体１００の表面１０１は、折り目１２１、１２２、及び１２３によって４つのページの画像（画像１１１、１１２、１１３、及び１１４）に分割されている。同様に、媒体１００の裏面１０２は、折り目１２６、１２７、及び１２８によって４つのページの画像（画像１１５、１１６、１１７、及び１１８）に分割されている。表面１０１の其々のページには、文字などの情報が掲載されている。なお図示されていないが、裏面１０２の其々のページにも同様に情報が掲載されているものとする。
【００３４】
折り目の位置の光学濃度は、折り目のない位置の光学濃度と大きく異なる。例えば媒体１００の地色が白色である場合、折り目の位置の光学濃度は、折り目のない位置の光学濃度と比べて大きくなる。理由は、折り目によって媒体１００の表面に凹凸が形成され、この凹凸が乱反射の要因となるためである。一方、媒体１００の地色が濃色である場合、折り目の位置の光学濃度は、折り目のない位置の光学濃度と比べて小さくなる。理由は、折り目によって表面の濃色が剥げ、媒体１００本来の色（白色など）が露出するためである。なお、折り目は、シートの端部から反対側の端部まで延伸しているため、この特徴を利用することで、折り目であるか、又は、媒体１００表面に形成された線画であるかを判定することが可能になる。
【００３５】
図５及び図６は、媒体１００から実際に読み取られた画像の光学濃度の分布を示している。なお、媒体１００の地色は白色である。図５は、媒体１００の表面１０１の画像の光学濃度を示し、図６は、媒体１００の裏面１０２の画像の光学濃度を示している。横軸は、媒体１００の横方向（図４における左右方向）の位置を示している。縦軸は、光学濃度を１００で正規化した濃度レベルを示している。
【００３６】
図５における光学濃度のピーク１４１、１４２、及び１４３の位置は、其々、媒体１００の表面１０１の折り目１２１、１２２、及び１２３の位置に対応している。図６における光学濃度のピーク１４６、１４７、及び１４８の位置は、其々、媒体１００の裏面１０２の折り目１２６、１２７、及び１２８の位置に対応している。なお、図５における光学濃度のピーク１４４、及び１４５の位置、及び、図６における光学濃度のピーク１４９、及び１５０の位置は、其々、媒体１００の左端部１２４（図４参照）、及び右端部１２５（図４参照）の位置に対応している。このように、媒体１００の地色が白色の場合、折り目の位置における光学濃度は、他の位置における光学濃度と比較して顕著に大きくなる。一方、媒体１００の地色が濃色である場合、折り目の位置における光学濃度は、他の位置における光学濃度と比較して顕著に小さくなる。従って、光学濃度が大きく変化した部分を特定することによって、媒体１００に形成された折り目の位置を特定することができる。
【００３７】
光学濃度に基づき、折り目の種別を特定することも可能である。図５及び図６に示すように、媒体１００の地色が白色である場合、山折りの折り目（折り目１２２、及び１２７）の位置では、裏面１０２よりも表面１０１の方が、光学濃度は大きくなる（ピーク１４２＞ピーク１４７）。一方、谷折りの折り目（折り目１２１、１２３、１２６、及び１２８）の位置では、裏面１０２よりも表面１０１の方が、光学濃度は小さくなる（ピーク１４１＜ピーク１４６、ピーク１４３＜ピーク１４８）。一方、媒体１００の地色が濃色である場合、山折りの折り目の位置では、裏面１０２よりも表面１０１の方が、光学濃度は小さくなる。一方、谷折りの折り目の位置では、裏面１０２よりも表面１０１の方が、光学濃度は大きくなる。従って、媒体１００を挟んで対向する位置にある其々の折り目の光学濃度を比較することによって、折り目の種別（山折り又は谷折り）を特定することができる。
【００３８】
画像処理装置１は、ラインセンサ４１、４２を介して媒体１００から読み込んだ画像に基づいて光学濃度を決定する。画像処理装置１は、他の部分と比較して光学濃度が顕著に異なるか否かを判断することで、折り目の位置を特定する。画像処理装置１は、媒体１００から読み込んだ画像を、特定された折り目の位置で分割し、ページ毎に管理する。従ってユーザは、画像処理装置１に対して折り目の位置の設定を行うことなく、画像をページごとに区切り、区切られた画像を利用することができる。なお、「決定」とは、ラインセンサ４１、４２を介して得られた画像のデータに基づき、特定の数値を求めること、及び得られた画像のデータに基づき、テーブルなどの判断基準から特定の数値を決定することの両方を含む。
【００３９】
また画像処理装置１は、表面１０１及び裏面１０２の其々の光学濃度を比較することによって、折り目の種別を特定する。画像処理装置１は、特定した折り目の種別に基づいて、分割された画像の其々に対して割り当てるページ番号を決定する。ページ番号は、例えば以下のようにして決定される。
【００４０】
例えば図４の媒体１００のように、折り目の種別の並びが左から順に「谷折り、山折り、谷折り」である場合、ユーザははじめに、表面１０１の最も左側のページの画像１１１から、画像１１２、１１３、及び１１４の順で閲覧することが想定される。次いでユーザは、媒体１００を裏返し、裏面１０２の最も右側の画像１１８から、画像１１７、１１６、及び１１５の順で媒体１００を閲覧することが想定される。従って画像処理装置１は、折り目の種別の並びが「谷折り、山折り、谷折り」である場合、画像１１１、１１２、１１３、１１４、１１８、１１７、１１６、及び１１５の順で降順となるようにページ番号を設定する。このように画像処理装置１は、折り目の種別の並び順に基づき、想定される閲覧順を想定して最適なページ番号を設定することができる。
【００４１】
図７から図１１のフローチャートを参照し、画像処理装置１のＣＰＵ７１において実行されるメイン処理について説明する。ＣＰＵ７１に電源が投入された場合に、メイン処理は起動され実行される。ラインセンサ４１、及び４２によって読み込まれた二つの画像に基づいて折り目を検出するために、メイン処理中では、二つの画像に対応する二つの先端検出処理（図８参照）、及び折り目検出処理（図９、及び図１０）が並列して起動され実行される。
【００４２】
図７から図１１を参照し、メイン処理について説明する。図７に示すように、はじめに、画像処理装置１に接続されたＰＣ８１を介して、動作条件が設定される（Ｓ１１）。動作条件として、例えば媒体１００の大きさ種別（Ａ４，Ｂ５など）、両面／片面印刷設定等が挙げられる。なおこれらの動作条件は、画像処理装置１が媒体１００を取り込んだ段階で自動的に判断されてもよい。
【００４３】
ユーザは、媒体１００の折り目を伸ばして見開いた状態とし、給紙トレイ４にセットする。図１２は、見開いた状態で給紙トレイ４にセットされた媒体１００を上側から見た様子を示している。媒体１００の表面１０１が上側を向いた状態であるとする。図１２の矢印１６０は、媒体１００が取り込まれる方向を示している。
【００４４】
スタートスイッチ１５が押下されたかが監視される（Ｓ１３）。スタートスイッチ１５が押下されていない場合（Ｓ１３：ＮＯ）、処理はＳ１３に戻る。スタートスイッチ１５が押下された場合（Ｓ１３：ＹＥＳ）、モータ５６の駆動が開始され、搬送ローラ１７、１８、１９、及び２０は回転を開始する。給紙トレイ４にセットされた媒体１００は、給紙口３を介して搬送路１１内に取り込まれ、媒体１００の搬送が開始される（Ｓ１５）。給紙口３から取り込まれた媒体１００は、搬送路１１内を給紙口３から排出口５に向かって搬送される。ラインセンサ４１、及び４２による画像の読み取りが開始される（Ｓ１７）。以後、ラインセンサ４１、４２によって読み取られた画像を取得することが可能な状態となる。次の処理であるＳ１８、及びＳ１９において、媒体１００の表面１０１の画像は、ラインセンサ４２によって１ラインずつ読み取られる。媒体１００の裏面１０２の画像は、ラインセンサ４１によって１ラインずつ読み取られる。
【００４５】
媒体１００の先端検出処理（図８参照）が実行される（Ｓ１８）。媒体１００の表面１０１の画像、及び裏面１０２の画像に対応する二つの折り目検出処理（図９、図１０参照）が開始される（Ｓ１９）。なお以下では、ラインセンサ４２によって読み取られた画像に基づく先端検出処理、及び折り目検出処理について説明する。
【００４６】
図８を参照し、先端検出処理について説明する。先端検出処理では、ＲＡＭ７４に記憶された変数Ｈ＿ＳＴＥＰが使用される。変数Ｈ＿ＳＴＥＰは、画像処理装置１の動作状態を示す変数である。変数Ｈ＿ＳＴＥＰ、は、先端検出処理の開始時に０が格納され（Ｓ１０１）、初期化される。
【００４７】
ラインセンサ４２によって読み取られた１ライン分の画像が取得される（Ｓ１０２）。ここで、取得される画像は、媒体１００の表面の画像である。取得された画像が解析されることによって、給紙口３から取り込まれた媒体１００がラインセンサ４２に到達したかが判断される（Ｓ１０３）。例えば、ラインセンサ４２によって読み取られた１ライン分の画像から決定した光学濃度にピーク（例えば、図５におけるピーク１４４）が最初に検出された場合、検出されたピークは媒体１００の先端部に起因するピークであると判断してもよい。そして、媒体１００がラインセンサ４２に到達したと判断してもよい。スタートスイッチ１５が押下されてから時間が経過しておらず、媒体１００がラインセンサ４２に到達していない場合（Ｓ１０３：ＮＯ）、処理はＳ１０２に戻る。ラインセンサ４２によって読み取られた次の１ライン分の画像が取得され（Ｓ１０２）、処理が繰り返される。
【００４８】
なお上述では、ラインセンサ４２によって読み取られた画像を解析することによって、媒体１００がラインセンサ４２に到達したか否かが判断されたが、本発明はこれに限定されない。例えば、シートセンサ３７から出力される信号に基づいて、媒体１００がラインセンサ４２に到達したか否かを判断してもよい。
【００４９】
媒体１００がラインセンサ４２に到達したと判断した場合（Ｓ１０３：ＹＥＳ）、取得された１ライン分の画像のうち、左右両端部分の画像が抽出される（Ｓ１０４）。抽出された画像の光学濃度が決定され、次いで、決定された光学濃度の平均値が算出される（Ｓ１０５）。
【００５０】
Ｓ１０４、及びＳ１０５では、例えば図１２に示す媒体１００から読み取られた１ライン分の画像のうち、左端部分１３１及び右端部分１３２に相当する部分の画像から光学濃度が決定され、その平均値が算出される。
【００５１】
算出された光学濃度の平均値が所定値より大きいか否かが判断される（Ｓ１０６）。所定値は、媒体１００の先端が読み取られた場合に検出されるおおよその光学濃度の閾値としてあらかじめＲＯＭ７２に記憶されている。算出された光学濃度の平均値が所定値より大きいと判断されると（Ｓ１０６：ＹＥＳ）、未だ媒体１００の先端を読み取っていることになるため、変数Ｈ＿ＳＴＥＰに１が格納された後（Ｓ１０７）、処理はＳ１０２に戻る。一方、算出された光学濃度の平均値が所定値以下であると判断されると（Ｓ１０６：ＮＯ）、変数Ｈ＿ＳＴＥＰが１であるか否かが判断される（Ｓ１０８）。変数Ｈ＿ＳＴＥＰが１でないと判断されると（Ｓ１０８：ＮＯ）、処理がＳ１０２に戻る。変数Ｈ＿ＳＴＥＰが１であると判断されると（Ｓ１０８：ＹＥＳ）、変数Ｈ＿ＳＴＥＰに０が格納された後（Ｓ１０９）、媒体１００の先端検出は全て終了したので、先端検出処理は終了し、処理はメイン処理（図７参照）に戻る。
【００５２】
図９を参照し、折り目検出処理について説明する。折り目検出処理では、ＲＡＭ７４に記憶された開始フラグ、エラーフラグ、変数ＳＴＥＰ、位置カウンタ、及び幅カウンタが使用される。開始フラグは、折り目判別処理（図１１参照、後述）の開始を指示するフラグである。エラーフラグは、折り目判別処理においてエラーが発生したことを通知するフラグである。変数ＳＴＥＰは、画像処理装置１の動作状態を示す変数である。位置カウンタは、ラインセンサ４２が読み取る１ライン分の画像の位置を特定するカウンタである。幅カウンタは、折り目の形成に起因して光学濃度が顕著に変化する部分の幅を特定するカウンタである。開始フラグ、エラーフラグ、変数ＳＴＥＰ、位置カウンタ、及び幅カウンタは、折り目検出処理の開始時に０が代入され初期化される。位置カウンタは、ラインセンサ４２によって読み取られた１ライン分の画像が取得される度に１ずつ加算される。
【００５３】
変数ＳＴＥＰに１が格納される（Ｓ３５）。なお、変数ＳＴＥＰが１である状態は、図１２における区間１５２、１５４、１５６、及び１５８のいずれかの位置にラインセンサ４２がある状態に相当する。Ｓ３５では変数ＳＴＥＰは０から１に変化しているので、図１２のうち区間１５１から区間１５２にラインセンサ４２の位置が移動したことになる。
【００５４】
折り目判別処理（図１１参照）において折り目の種別を判別できないエラーが発生したかが、エラーフラグによって判断される（Ｓ３７）。折り目判別処理において折り目の種別が判別できなかった場合、エラーフラグに１が格納される（Ｓ９７、図１１参照）。折り目を判別できないエラーが発生した場合（Ｓ３７：ＹＥＳ）、ページ毎の画像にページ番号を設定することができない。この場合、折り目を検出する処理は中止され、ラインセンサ４２による画像の読み取りのみが以下のようにして行われる。
【００５５】
ラインセンサ４２によって読み取られた次の１ライン分の画像が取得される（Ｓ３９）。シートセンサ３７が媒体１００を検出しているかが判断される（Ｓ４１）。シートセンサ３７が媒体１００を検出している場合（Ｓ４１：ＹＥＳ）、媒体１００は、ラインセンサ４２の下方に存在することになる。処理はＳ３９に戻り、ラインセンサ４２によって読み取られる１ライン分の画像が繰り返し取得される（Ｓ３９）。一方、シートセンサ３７が媒体１００を検出しなくなった場合（Ｓ４１：ＮＯ）、媒体１００はシートセンサ３７の上方を既に通り過ぎていることになる。この場合、変数ＳＴＥＰに０が格納される（Ｓ４３）。変数ＳＴＥＰは１から０に変化しているので、図１２のうち区間１５８から区間１５９にラインセンサ４２の位置が移動したことになる。媒体１００上の画像の読み取りは全て終了したので、折り目検出処理は終了し、処理はメイン処理（図７参照）に戻る。
【００５６】
一方、エラーフラグが０であり、折り目判別処理（図１１参照）においてエラーが発生していない場合（Ｓ３７：ＮＯ）、処理はＳ４５に進む。ラインセンサ４２によって読み取られた次の１ライン分の画像が取得される（Ｓ４５）。取得された１ライン分の画像のうち、左右両端部分の画像が抽出される（Ｓ４７）。抽出された画像の光学濃度が決定され、次いで、決定された光学濃度の平均値が算出される（Ｓ４９）。
【００５７】
Ｓ４７、及びＳ４９では、例えば図１２に示す媒体１００から読み取られた１ライン分の画像のうち、左端部分１３１及び右端部分１３２に相当する部分の画像から光学濃度が決定され、その平均値が算出される。中心部分１３３の画像は、光学濃度を決定する場合の対象から除外される。理由は次の通りである。画像の中心部分１３３には、文字や図形などの画像が含まれる可能性が高い。従ってこれらの画像が光学濃度に大きく影響すると、折り目の形成に起因する光学濃度の変化が相対的に小さくなり、光学濃度の変化を特定する場合の精度が悪化する可能性がある。一方、左端部分１３１及び右端部分１３２の画像には、文字や図形が含まれる可能性が低い。左端部分１３１及び右端部分１３２の画像から光学濃度が決定された場合、折り目の形成に起因する光学濃度の変化は顕著に現れる。従って、光学濃度の変化を正確に特定できる。
【００５８】
次いで、Ｓ４５で取得された１ライン分の画像の読み取り位置を除く他の位置の画像に基づいて、光学濃度の平均値が算出される（Ｓ５０）。Ｓ４９での処理と同様、画像の左右端部分の画像が抽出されて光学濃度が決定され、その平均値が算出される。ここで他の位置の画像は、例えば、ラインセンサ４２による画像の読み取りを開始してから、Ｓ４５において１ライン分の画像を取得するまでの間に取得された全ての画像のうち、変数ＳＴＥＰが１である状態で取得された画像としてもよい。例えば図１２のうち、区間１５５内にラインセンサ４２がある場合には、区間１５２、及び１５４内から取得された画像に基づいて光学濃度が決定され、その平均値が算出されてもよい。
【００５９】
図１０に示すように、Ｓ４９（図９参照）で算出された光学濃度の平均値と、Ｓ５０（図９参照）で算出された光学濃度の平均値との差分が算出される（Ｓ５１）。算出された差分が所定値より大きいか否かが判断される（Ｓ５２）。算出された差分が所定値より大きいと判断された場合（Ｓ５２：ＹＥＳ）、Ｓ４５（図９参照）で取得された１ライン分の画像の光学濃度の平均値が、他の位置の画像の光学濃度の平均値と比較して顕著に異なっていると判断される。この場合、Ｓ４５で取得した１ライン分の画像の位置が、折り目の位置に相当する可能性がある。
【００６０】
シートセンサ３７が媒体１００を検出しているかが判断される（Ｓ５３）。シートセンサ３７が媒体１００を検出しなくなっていた場合（Ｓ５３：ＮＯ）、媒体１００はシートセンサ３７の上方を既に通り過ぎていることになる。検出された光学濃度の平均値の顕著な変化は、媒体１００の端部に起因するものである可能性がある。この場合、変数ＳＴＥＰに０が格納される（Ｓ４３）。変数ＳＴＥＰは１から０に変化しているので、図１２のうち区間１５８から区間１５９にラインセンサ４２の位置が移動したことになる。媒体１００上の画像の読み取りは全て終了したので、折り目検出処理は終了し、処理はメイン処理（図７参照）に戻る。
【００６１】
一方、シートセンサ３７が媒体１００を検出している場合（Ｓ５３：ＹＥＳ）、媒体１００はラインセンサ４２の下方に存在することになる。媒体１００上の画像から光学濃度が正確に特定されている。従って、Ｓ４９（図９参照）で算出された光学濃度の顕著な変化は、媒体１００に形成された折り目に起因するピーク（例えば、図５におけるピーク１４１、１４２、及び１４３）に相当すると判断される。変数ＳＴＥＰに２が格納される（Ｓ５５）。なお、変数ＳＴＥＰが２である状態は、図１２における区間１５３、１５５、及び１５７のいずれの位置にラインセンサ４２がある状態に相当する。Ｓ５５では変数ＳＴＥＰは１から２に変化しているので、図１２のうち区間１５２から区間１５３、区間１５４から区間１５５、及び区間１５６から区間１５７にラインセンサ４２の位置が移動したことになる。
【００６２】
Ｓ４９（図９参照）で算出された光学濃度の平均値は、ＲＡＭ７４に記憶される（Ｓ５７）。変数ＳＴＥＰが２である状態で繰り返し算出される光学濃度の平均値の全てが、ＲＡＭ７４に累積されることになる。なお、Ｓ５７でＲＡＭ７４に記憶された光学濃度の平均値は、折り目判別処理（Ｓ８５、Ｓ８７、図１１参照）において、変数ＳＴＥＰが２である区間内の光学濃度の平均値を算出する場合に使用される（詳細は後述する。）。
【００６３】
Ｓ５２で判断された、光学濃度が顕著に変化した状態が、２回以上連続しているかが判断される（Ｓ５９）。前回決定された光学濃度の平均値には、顕著な変化が見られなかった場合（Ｓ５９：ＮＯ）、光学濃度の平均値が顕著に変化し始める時点を記憶するために、この時点での位置カウンタがＲＡＭ７４に記憶される（Ｓ６１）。処理はＳ３７（図９参照）に戻る。一方、Ｓ５２で判断された光学濃度の顕著な変化が２回以上連続している場合（Ｓ５９：ＹＥＳ）、折り目の形成に起因して光学濃度が顕著に変化している部分の幅を特定するために、幅カウンタに１が加算される（Ｓ６３）。処理はＳ３７に戻る。図９に示すように、ラインセンサ４２が読み取った次のラインの画像が取得され（Ｓ４５）、処理が繰り返される。
【００６４】
一方、図１０のＳ５２において、Ｓ４９（図９参照）で算出された光学濃度の平均値と、Ｓ５０（図９参照）で算出された光学濃度の平均値との差分が、所定値以下であると判断された場合（Ｓ５２：ＮＯ）、変数ＳＴＥＰが２であるかが判断される（Ｓ６５）。変数ＳＴＥＰが２である場合（Ｓ６５：ＹＥＳ）、折り目の形成に起因して光学濃度が顕著に変化している部分が終了したと判断される。この場合、折り目の正確な位置が特定される（Ｓ６７）。折り目の正確な位置は、Ｓ６１でＲＡＭ７４に記憶した位置カウンタと、Ｓ６３で更新した幅カウンタとに基づき、「位置カウンタ＋幅カウンタ／２」を算出することによって特定される。算出される値は、図１２における変数ＳＴＥＰが２である区間１５３、１５５、及び１５７の其々の中心位置を示す。特定された折り目の正確な位置は、ＲＡＭ７４に記憶される。
【００６５】
変数ＳＴＥＰに１が格納される（Ｓ６９）。変数ＳＴＥＰは２から１に変化しているので、図１２のうち区間１５３から区間１５４、区間１５５から区間１５６、及び区間１５７から区間１５８にラインセンサ４２の位置が移動したことになる。折り目の種別を判別する折り目判別処理（図１１参照）を起動するために、開始フラグに１が格納される（Ｓ７１）。
【００６６】
なお、上述までで説明した折り目検出処理は、ラインセンサ４１から取得された画像に対しても同様に行われ、折り目の位置が特定される（Ｓ６７、図１０参照）。折り目が特定された後、開始フラグに１が格納される（Ｓ７１）。媒体１００の表面１０１及び裏面１０２の両方から、折り目の位置が特定されたことになる。開始フラグに１が格納されると、折り目判別処理が実行される（Ｓ７３）。折り目判別処理が実行された後、処理はＳ３７（図９参照）に戻る。
【００６７】
図１１を参照し、折り目判別処理について説明する。折り目判別処理では、媒体１００の表面１０１と裏面１０２との両方から、対応する折り目が特定されたか否かが監視される。ラインセンサ４２から取得された画像に基づく折り目検出処理（図９）、及び、ラインセンサ４１から取得された画像に基づく折り目検出処理（図９）において、開始フラグに１が格納されたか否かによって、対応する折り目が検出されたか否かが判断される（Ｓ８１）。少なくとも一方の開始フラグに１が格納されていない場合（Ｓ８１：ＮＯ）、表面１０１及び裏面１０２の折り目の位置が特定されていないので、処理はＳ８１に戻る。
【００６８】
一方、双方の処理において開始フラグに１が格納された場合（Ｓ８１：ＹＥＳ）、表面１０１の画像から特定された折り目の位置と、裏面１０２の画像から特定された折り目の位置とが一致するかが判断される（Ｓ８３）。折り目の位置が一致するか否かは、折り目検出処理のＳ６７（図１０参照）において特定された折り目の位置が比較されることによって判断される。折り目の位置が一致しない場合（Ｓ８３：ＮＯ）、特定された折り目の位置の少なくとも一方が誤っている可能性がある。この場合、折り目判別処理は終了し、処理は折り目検出処理（図１０参照）に戻る。一方、折り目の位置が一致する場合（Ｓ８３：ＹＥＳ）、この位置で折り目が確実に形成されていると判断される。
【００６９】
折り目の種別（山折り又は谷折り）を判別するための処理が以下のようにして行われる。表面１０１の画像に基づいて実行された折り目検出処理のＳ５７（図１０参照）でＲＡＭ７４に累積された光学濃度の平均値に基づき、その平均値が算出される（Ｓ８５）。裏面１０２の画像に基づいて実行された折り目検出処理のＳ５７でＲＡＭ７４に累積された光学濃度の平均値に基づき、その平均値が算出される（Ｓ８７）。Ｓ８５及びＳ８７で算出された平均値は、変数ＳＴＥＰが２である区間（図４参照）、即ち、折り目付近の光学濃度の平均値に相当する。
【００７０】
Ｓ８５で算出された表面１０１の折り目付近の光学濃度の平均値と、Ｓ８７で算出された裏面１０２の折り目付近の光学濃度の平均値とが比較される（Ｓ８９、Ｓ９３）。表面１０１の折り目付近の光学濃度の平均値が、裏面１０２の折り目付近の光学濃度の平均値よりも大きい場合（Ｓ８９：ＹＥＳ）、折り目の種別は山折りであると判別される（Ｓ９１）。判別結果は、折り目の位置に対応付けられてＲＡＭ７４に記憶される。処理はＳ９９に進む。
【００７１】
表面１０１の折り目付近の光学濃度の平均値が、裏面１０２の折り目付近の光学濃度の平均値よりも小さい場合（Ｓ８９：ＮＯ、Ｓ９３：ＹＥＳ）、折り目の種別は谷折りであると判別される（Ｓ９５）。判別結果は、折り目の位置に対応付けられてＲＡＭ７４に記憶される。処理はＳ９９に進む。
【００７２】
表面１０１の折り目付近の光学濃度の平均値と、裏面１０２の折り目付近の光学濃度の平均値とが一致する場合（Ｓ９３：ＮＯ）、折り目の種別を判別することができないので、エラーフラグに１が格納される（Ｓ９７）。処理はＳ９９に進む。なお、エラーフラグに１が格納された場合、折り目検出処理のＳ３７（図９参照）において、折り目の位置を検出する処理は中断される。
【００７３】
Ｓ９９では、表面１０１に対応する折り目検出処理、及び裏面１０２に対応する折り目検出処理において１が格納された開始フラグを初期化するために、開始フラグに０が格納される（Ｓ９９）。折り目判別処理は終了し、処理は折り目検出処理（図１０参照）に戻る。
【００７４】
上述のように画像処理装置１は、表面１０１に形成された画像から決定した光学濃度と、裏面１０２に形成された画像から決定した光学濃度との両方が所定条件を満たす場合に、該当部分が折り目に相当すると判断できる。これによって画像処理装置１は、ページの区切りを正確に認識することができる。画像処理装置１は、ページの区切りが正確に認識できない場合に発生する不具合、例えば、加工後の画像に、隣接する位置にある画像の一部が含まれたり、加工後の画像の一部が欠けたりする不具合が発生することを防止できる。
【００７５】
また画像処理装置１は、媒体１００の表面１０１及び裏面１０２の其々の光学濃度を比較することによって、折り目の種別を特定することができる。なお特定した折り目の種別は、画像にページ番号を設定する場合に参照される（後述）。
【００７６】
以上までで説明した折り目判別処理は、折り目検出処理（図９、及び図１０参照）において折り目が検出する度に実行される。判別された折り目の種別は、折り目の数分ＲＡＭ７４に記憶される。
【００７７】
折り目検出処理（図９、及び図１０参照）において全ての折り目が検出され、媒体１００上の画像の読み取りが全て終了した場合（Ｓ５３：ＮＯ、Ｓ４３、図１０参照）、折り目検出処理は終了してメイン処理（図７参照）に戻る。折り目検出処理によって検出された其々の折り目は、折り目判別処理（図１１参照）においてその種別が判別されている。図７に示すように、折り目検出処理（Ｓ１９）が終了した後、ラインセンサ４１、及び４２によって読み取られた媒体１００上の画像は、其々、折り目検出処理によって検出された折り目の位置（Ｓ６７、図１０参照）で分割される（Ｓ２１）。例えば図１２に示すように、媒体１００の表面１０１上の画像は、折り目１２１、１２２、及び１２３によって、画像１１１、１１２，１１３，及び１１４に分割される。
【００７８】
Ｓ２１において分割された其々の画像にページ番号が設定される（Ｓ２３）。設定されるページ番号は、ＦＬＡＳＨ・ＲＯＭ７３に記憶された折り目テーブル７３１及びページ割テーブル７３２に基づき、以下のようにして決定される。
【００７９】
図１３を参照し、折り目テーブル７３１について説明する。折り目テーブル７３１には、折り目の種別（山折り又は谷折り）の組み合わせが複数格納されている。折り目判別処理（図１１参照）において判別された、折り目の位置毎の折り目の種別が、折り目テーブル７３１に適用される。そして、折り目の種別の並びが一致する場合のインデックス番号が特定される。例えば図４に示す媒体１００では、左から順に「谷折り・山折り・谷折り」の順で折り目が並んでいる。従って、折り目テーブル７３１が適用された場合、折り目の種別の並びが一致するインデックス番号「２」が特定される。
【００８０】
図１４を参照し、ページ割テーブル７３２について説明する。ページ割テーブル７３２には、折り目の位置で分割された其々のページの画像に割り当てるページ番号の情報（ページ割情報）が、インデックス毎に格納されている。折り目テーブル７３１（図１３参照）に基づいてインデックス番号が特定された後、特定されたインデックス番号のページ割情報が、ページ割テーブル７３２から選択される。選択されたページ割情報によって特定される各ページのページ番号が、折り目の位置で分割された其々の画像に設定される。ページ割テーブル７３２には、媒体１００が折り畳まれた状態や開かれた状態を想定して決定されるページ割情報が格納されている。画像処理装置１は、媒体１００が実際にユーザによって閲覧される場合の閲覧順にページ番号を設定することができる。
【００８１】
例えば図４に示す媒体では、折り目テーブル７３１（図１３参照）に基づいてインデックス番号「２」が特定されているので、ページ割テーブル７３２におけるインデックス「２」に対応するページ割情報が選択される。選択されたページ割情報に基づいて、画像１１１（最左−表面）／ページ番号１、画像１１２（左−表面）／ページ番号２、画像１１３（右−表面）／ページ番号３、画像１１４（最右−表面）／ページ番号４、画像１１５（最左−裏面）／ページ番号８、画像１１６（左−裏面）／ページ番号７、画像１１７（右−裏面）／ページ番号６、画像１１８（最右−裏面）／ページ番号５のように、ページ番号が其々の画像に設定される。媒体１００は、画像１１１、１１２、１１３、１１４、１１８、１１７、１１６、及び１１５の順で降順となるようにページ番号を設定する。ユーザは、画像１１１、１１２、１１３、１１４、１１８、１１７、１１６、及び１１５の順で媒体１００を閲覧することが想定されるので、設定されたページ番号は、ユーザによるページの閲覧順と一致する。このように画像処理装置１は、折り目の種別の並び順に基づき、想定される閲覧順を想定して最適なページ番号を設定することができる。
【００８２】
図７のＳ２３で、分割された其々の画像にページ番号が設定された後、Ｓ１７で開始されたラインセンサ４１、及び４２による画像の読み取りが終了される（Ｓ２５）。モータ５６の駆動が終了され、搬送ローラ１７、１８、１９、及び２０は回転を終了する。媒体１００の搬送は終了される（Ｓ２７）。媒体の取り込み１００が終了したことをユーザに通知するために、ランプが点滅される（Ｓ２９）。メイン処理は終了する。
【００８３】
以上説明したように、画像処理装置１は、画像の光学濃度に基づいて、媒体１００の折り目の位置を特定することができる。従って画像処理装置１は、ユーザによる折り目の位置の設定を要することなく、特定された折り目の位置をページの区切りと認識できる。画像処理装置１は、ページの区切りを正確に認識し、媒体１００上の画像を加工することで、ページ毎に区切られた画像をユーザに提供できる。
【００８４】
また画像処理装置１は、折り目の種別（山折り又は谷折り）に応じて最適なページ割情報を決定し、ページの区切りで分割した画像の其々にページ番号を設定することができる。
【００８５】
なお、図９のＳ４５の処理を行うＣＰＵ７１が本発明の「取得部」に相当し、Ｓ４９の処理を行うＣＰＵ７１が本発明の「決定部」に相当する。図１０のＳ５２、及び、図１１の折り目判別処理を行うＣＰＵ７１が本発明の「第一判断部」に相当する。図７のＳ２１、２３の処理を行うＣＰＵ７１が本発明の「加工部」に相当する。図１１のＳ８９、Ｓ９１、Ｓ９３、及びＳ９５の処理を行うＣＰＵ７１が本発明の「第二判断部」に相当する。ページ割テーブル７３２を記憶するＦＬＡＳＨ・ＲＯＭ７３が本発明の「記憶部」に相当する。図２のラインセンサ４１、４２が、本発明の「読み取り部」に相当する。図９のＳ４５の処理が本発明の「取得ステップ」に相当し、Ｓ４９の処理が本発明の「決定ステップ」に相当する。図１０のＳ５２、及び、図１１の折り目判別処理が本発明の「第一判断ステップ」に相当する。図７のＳ２１、２３の処理が本発明の「加工ステップ」に相当する。図２に示す搬送ローラ１７、１８、１９、及び２０などが本発明の「搬送部」に相当する。
【００８６】
本発明は上述の実施形態に限定されず、種々の変更が可能である。上述の実施形態では、所定位置における光学濃度と他の位置における光学濃度との差が所定値より大きい場合に、所定位置を折り目と判断していた。この方法は、地色に依らず常に一定の判断方法で折り目の位置を判断できるという点で有効である。これに対して、光学濃度と所定の閾値との関係に基づいて、折り目の位置を判断してもよい。地色が白色である場合には、光学濃度が所定の閾値よりも大きい場合に折り目と判断し、地色が濃色である場合には、光学濃度が所定の閾値よりも小さい場合に折り目と判断してもよい。この方法は、折り目の位置を容易に判断できるという点で有効である。
【００８７】
折り目の位置で分割された其々の画像は、個別のファイルとして管理してもよい。これによってに画像処理装置１は、加工後の画像を使用するユーザの利便性を向上させることができる。
【００８８】
上述の実施形態における各処理では、画像処理装置１において読み取られた画像は、画像処理装置１のＣＰＵ７１において処理が行われ、折り目の位置及び種別の判別が行われていた。本発明はこれに限定されない。各処理は、通信Ｉ／Ｆ７５を介して画像処理装置１と接続するＰＣ８１によって実行されてもよい。即ちＰＣ８１は、画像処理装置１がシート７から読み取った画像を取得し、上述した各処理を実行してもよい。
【００８９】
上述の実施形態において、画像処理装置１の一例として、媒体を搬送しながら画像を読み取る、いわゆるシートフィードスキャナを挙げたが、これに限らず、例えば、ＦＡＸ、及び複合機などであってもよい。
【００９０】
上述の実施形態において、画像処理装置１は両面読み取りを行っていたが、これに限らず、例えば、画像処理装置は、１つのラインセンサを備え、片面読み取りを行ってもよい。
【符号の説明】
【００９１】
１      画像処理装置
３７    シートセンサ
４１    ラインセンサ
４２    ラインセンサ
６１    制御回路部
７１    ＣＰＵ
７２    ＲＯＭ
７３  ＦＬＡＳＨ・ＲＯＭ  
７３２  ページ割テーブル
【図１】
2012151586.tif 000003
【図２】
2012151586.tif 000004
【図３】
2012151586.tif 000005
【図４】
2012151586.tif 000006
【図５】
2012151586.tif 000007
【図６】
2012151586.tif 000008
【図７】
2012151586.tif 000009
【図８】
2012151586.tif 000010
【図９】
2012151586.tif 000011
【図１０】
2012151586.tif 000012
【図１１】
2012151586.tif 000013
【図１２】
2012151586.tif 000014
【図１３】
2012151586.tif 000015
【図１４】
2012151586.tif 000016